(57)【要約】【課題】多数の請求書などを集中的に読み取る場合に、読み取り不能発生時に複数枚の書類の順序が異なることなく、記載情報を読み取り、書類の連続読み取り作業効率を改善する。【解決手段】高速読取スキャナ２１及びスキャナ制御装置２２によって複数枚の書類の記載情報を連続的かつ光学的に自動読み取りを行う。この読み取った記載データ（又は、ＯＣＲ変換によるによる文字データ）をファイルサーバ２６に連続的に記憶する。次に、低速読取スキャナ２８及びスキャナ制御装置２９において、高速読取スキャナ２１で自動的な読み取りが不能となった書類を一枚ずつ光学的に読み取り、この読み取った記載データをファイルサーバ２６が連続して記憶する。【選択図】　　　図１
2004094519.tif 000002
【特許請求の範囲】
【請求項１】
一方の光学読取処理手段で連続的かつ自動的な読み取りが不能となった書類を他方の光学読取処理手段で読み取る複数枚書類の継続的な読み取り方法にあって、
前記一方の光学読取処理手段が複数枚の書類それぞれの記載情報を連続的かつ自動的に読み取った一方の記載データを得る工程と、
前記一方の記載データを連続的に記憶する工程と、
前記一方の光学読取処理手段で自動読み取りが不能となった前記書類を、前記他方の光学読取処理手段で読み取った他方の記載データを得る工程と、
この他方の記載データを、前記記憶している一方の記載データに連続して記憶する工程と、
を有することを特徴とする複数枚書類の継続的な読み取り方法。
【請求項２】
一方の光学読取処理手段で連続的かつ自動的な読み取りが不能となった書類を他方の光学読取処理手段で読み取る複数枚書類の継続的な読み取り方法にあって、
前記一方の光学読取処理手段が複数枚の書類それぞれの記載情報を連続的かつ自動的に読み取った一方の記載データを得る工程と、
前記一方の記載データを連続的に保持する工程と、
前記一方の光学読取処理手段で自動読み取りが不能となった前記書類の順番を特定する情報を前記他方の光学読取処理手段に転送する工程と、
前記一方の光学読取処理手段で自動読み取りが不能となった前記書類を前記他方の光学読取処理手段が読み取った他方の記載データに、前記書類の順番を特定する情報を付与する工程と、
前記他方の光学読取処理手段が読み取った他方の記載データを前記記憶している一方の記載データに、前記書類の順番を特定する情報を連続させて記憶する工程と、
を有することを特徴とする複数枚書類の継続的な読み取り方法。
【請求項３】
複数枚の書類の記載情報を連続的かつ自動的に読み取った一方の記載データを得る一方の光学読取処理手段と、
前記一方の光学読取処理手段で得られた一方の記載データを連続的に記憶する記憶手段と、
前記一方の光学読取処理手段で自動的な読み取りが不能となった前記書類を読み取った他方の記載データを前記記憶手段に記憶している一方の記載データに連続して記憶させる他方の光学読取処理手段と、
を備えることを特徴とする書類集中読取システム。
【請求項４】
複数枚の書類の記載情報を連続的かつ自動的に読み取った一方の記載データを得るとともに、自動読み取りが不能となった前記書類の順番を特定する情報を転送する一方の光学読取処理手段と、
前記一方の光学読取処理手段で読み取った一方の記載データを連続的に記憶する記憶手段と、
前記一方の光学読取処理手段で自動的な読み取りが不能となった前記書類を読み取った他方の記載データに、前記書類の順番を特定する情報を付与して前記記憶手段に記憶している一方の記載データに連続して記憶させる他方の光学読取処理手段と、
を備えることを特徴とする書類集中読取システム。
【請求項５】
複数枚の書類の記載情報を連続的かつ自動的に読み取った一方の記載データを得る一方の光学読取処理手段と、
前記一方の光学読取処理手段からの一方の記載データから文字データを生成する光学式文字読取手段と、
前記光学式文字読取手段で生成した文字データを予め定めた文字データに補正して書類の順番を特定する情報を付与し、かつ、記憶せるための照合・補正処理手段と、
前記照合・補正処理手段からの一方の記載データを連続的に記憶する記憶手段と、
前記一方の光学読取処理手段で自動的な読み取りが不能となった前記書類を読み取った他方の記載データを前記記憶手段に記憶している一方の記載データに連続して記憶させる他方の光学読取処理手段と、
を備えることを特徴とする書類集中読取システム。
【請求項６】
複数枚の書類の記載情報を連続的かつ自動的に読み取った一方の記載データを得るとともに、自動読み取りが不能となった前記書類の順番を特定する情報を転送する一方の光学読取処理手段と、
前記一方の光学読取処理手段からの一方の記載データから文字データを生成する光学式文字読取手段と、
前記光学式文字読取手段で生成した文字データを予め定めた文字データに補正して書類の順番を特定する情報を付与し、かつ記憶せるための照合・補正処理手段と、
前記照合・補正処理手段からの一方の記載データを連続的に記憶する記憶手段と、
前記一方の光学読取処理手段で自動的な読み取りが不能となった前記書類を読み取った他方の記載データに、前記書類の順番を特定する情報を付与して前記記憶手段に記憶している一方の記載データに連続して記憶させる他方の光学読取処理手段と、
を備えることを特徴とする書類集中読取システム。
【請求項７】
請求項８又は１１記載の書類集中読取システムにおいて、
前記一方の光学読取処理手段が、自動読み取り不能となった際に前記他方の光学読取処理手段に書類の順番を特定する情報に連続した読み取りの連携を通知する制御を実行し、かつ、
前記他方の光学読取処理手段が、自動読み取りが不能の書類の読み取り終了の連携終了及び次の書類の順番を特定する情報に連続した読み取り再開のための情報を前記一方の光学読取処理手段に通知するための連携制御手段を、
さらに備えることを特徴とする書類集中読取システム。
【請求項８】
複数枚の書類の記載情報を連続的かつ自動的に読み取った一方の記載データを得るステップと、
一方の記載データを連続的に記憶するステップと、
前記自動的な読み取りが不能となった前記書類を読み取った他方の記載データを、記憶している一方の記載データに連続して記憶させるステップと、
の制御をコンピュータに実行させるためのプログラム。
【請求項９】
複数枚の書類の記載情報を連続的かつ自動的に読み取った一方の記載データを得るとともに、自動読み取りが不能となった前記書類の順番を特定する情報を転送するステップと、
前記一方の記載データを連続的に記憶するステップと、
前記自動的な読み取りが不能となった前記書類を読み取った他方の記載データに前記書類の順番を特定する情報を付与して、前記記憶している一方の記載データに連続して記憶させるステップと、
の制御をコンピュータに実行させるためのプログラム。
【請求項１０】
複数枚の書類の記載情報を連続的かつ自動的に読み取った一方の記載データを得るステップと、
前記一方の記載データから文字データを生成するステップと、
前記文字データを予め定めた文字データに補正して書類の順番を特定する情報を付与し、かつ、記憶せるステップと、
この一方の記載データを連続的に記憶するステップと、
前記自動的な読み取りが不能となった前記書類を読み取った他方の記載データを、記憶している一方の記載データに連続して記憶させるステップと、
の制御をコンピュータに実行させるためのプログラム。
【請求項１１】
複数枚の書類の記載情報を連続的かつ自動的に読み取った一方の記載データを得るとともに、自動読み取りが不能となった前記書類の順番を特定する情報を転送するステップと、
前記一方の記載データから文字データを生成するステップと、
この生成した文字データを予め定めた文字データに補正して書類の順番を特定する情報を付与し、かつ記憶せるためのステップと、
この一方の記載データを連続的に記憶するステップと、
前記自動的な読み取りが不能となった前記書類を読み取った他方の記載データに前記書類の順番を特定する情報を付与して、記憶している一方の記載データに連続して記憶させるステップと、
の制御をコンピュータに実行させるためのプログラム。
【請求項１２】
請求項１７又は１９記載のプログラムに、
前記書類がみ取り不能となった際に、書類の順番を特定する情報に連続した読み取りの連携を通知する制御を実行し、かつ、自動読み取りが不能の書類の読み取り終了の連携終了及び次の書類の順番を特定する情報に連続した読み取り再開のための情報を通知するステップ
の制御をさらにコンピュータに実行させるためのプログラム。
【発明の詳細な説明】
【０００１】
【発明の属する技術分野】
本発明は、多数の請求書などの書類を集中的に処理する事務集中処理システム（事務集中処理センタ）などにおいて、書類の記載情報の読み取り不能時に複数枚の書類の順序が異なることなく、記載情報を読み取る（適宜、取得と表記する）ための、複数枚書類の継続的な読み取り方法及びそのシステム並びにプログラムに関する。
【０００２】
【従来の技術】
従来、この種の事務集中処理システムなどでは、多数の書類、例えば、請求書を集中的に処理して、その読み取り処理（事務処理）の効率化を図っている。この効率化のために、大量の請求書を短時間で読み取る高速読取スキャナを採用している。
【０００３】
図１０は従来例の事務集中処理システムの構成を示す外観構成図であり、図１１は図１０の構成における処理状態を説明するための図である。また、図１２は図１０の構成における書類の読み取り処理の流れとシーケンスを示すフロー・シーケンス図である。
【０００４】
図１０、図１１及び図１２において、この例は、ローカルエリアネットワーク（ＬＡＮ）構成であり、集中センタ装置１とホスト装置２とから概略構成されている。集中センタ装置１は、高速読取スキャナ１０がスキャナ制御装置１１の制御で大量の書類（例えば、請求書）を書類自動送出装置（ＡＤＦ）による送り出しで読み取っている。この読み取り画像データ（適宜、記載データと表記する）がＬＡＮ伝送路を通じてＯＣＲ（Ｏｐｔｉｃａｌ　Ｃｈａｒａｃｔｅｒ　Ｒｅａｄｅｒ）認識サーバ１２で文字コードなどに変換される。
【０００５】
また、この文字データが照合・補正処理装置１３で作業者によって、予め定めた文字データと照合し、かつ、補正が施される。さらに、必要に応じて読み取り情報や各種のデバッグデータがプリンタ１４でハードコピーとして出力される。これらの書類単位のデータがファイルサーバ１５で管理される。ファイルサーバ１５は、ホスト装置２の通信ゲートウェエイ１６を通じた制御、例えば、ＬＡＮサーバとしてデータ、アドレス、制御のデータ転送（例えば、ＲＰＣ：Ｒｅｍｏｔｅ　Ｐｒｏｃｅｄｕｒｅ　Ｃａｌ）も制御している。
【０００６】
このようにして、高速読取スキャナ１０で、大量の書類の読み取りが行われるが、高速読取スキャナ１０において読み取り不能が発生した場合、読み取り作業を中断する。この高速読取スキャナ１０での読み取り不能としては、例えば、次の（１）（２）（３）がある。
（１）複数枚の一式の書類中に薄い紙が混ざっており、この薄い紙のＡＤＦでの送り出しが困難、
（２）書類（請求書など）を切り分ける判定（認識）のためのバーコードに汚れがあり、そのパターン認識が不可能、
（３）高速読取スキャナ１０での読み取り中のジャム発生などで、書類に折れ曲がりが生じた場合、
このため、図１０及び図１１に点線で囲んだ集中センタ装置１とは、別構成である低速読取スキャナ１７（例えば、ベット型フラットスキャナ）及びスキャナ制御装置１８を用いている。この低速読取スキャナ１７では、高速読取スキャナ１０による自動読み取りが困難な書類（上記（１）（２）（３）参照）を手作業で読み取っている。この読み取った画像データ（適宜、記載データと表記する）を情報記録媒体に格納し、この情報記録媒体からファイルサーバ１５が読み出して、中断した一連の書類の記載データ（ファイル）に連続するように編集して記憶する。
【０００７】
このようにして従来も、高速読取スキャナ１０で自動読み取りが困難な書類は、離間した場所などに配置された低速読取スキャナ１７を用い、その手作業によって読み取りを継続できるようになっている。
【０００８】
【発明が解決しようとする課題】
しかしながら、このような従来例では、次の（１）（２）（３）の不都合があり、その改善が課題である。
（１）離間した場所に配置された低速読取スキャナ１７を用い、その手作業によって、書類を一枚ずつ読み取るため、離間した場所に作業者が移動し、かつ、その手間のかかる、手作業の読み取り作業を伴う。
（２）低速読取スキャナ１７では、何枚目（頁）から再度の読み取りを行うのかが、作業者において不明になってしまうことがあり、そのためのメモ書きが必要であったり、再度、いずれの頁から読み取るのかの点検が必要になる。
（３）低速読取スキャナ１７において、読み取り付加の発生以前の書類を重複して読みとってしまうことがある。
【０００９】
これらは、いずれも読み取り作業効率が悪いという不都合がある。
【００１０】
本発明は、上記事情に鑑み、多数の書類を集中的に読み取る場合に、その読み取り不能発生時に複数枚の書類の順序が異なることなく、記載情報を正確に読み取ることができ、結果的に、書類の連続読み取り作業の効率を改善できる、複数枚書類の継続的な読み取り方法及びそのシステム並びにプログラムを提供することを目的とする。
【００１１】
さらに、本発明は、多数の書類を集中的に読み取る場合の読み取り不能発生時に、その読み取り継続作業が容易（継続したファイル作成や読み取り不能発生の複数枚の書類における頁や枚数目の表示）になって、結果的に書類の連続読み取り作業の効率を改善できる、複数枚書類の継続的な読み取り方法及びそのシステム並びにプログラムの提供を他の目的とする。
【００１２】
【課題を解決するための手段】
上記目的を達成する本発明の複数枚書類の継続的な読み取り方法は、一方の光学読取処理手段で連続的かつ自動的な読み取りが不能となった書類を他方の光学読取処理手段で読み取るものであり、一方の光学読取処理手段が複数枚の書類それぞれの記載情報を連続的かつ自動的に読み取った一方の記載データを得る工程と、一方の記載データを連続的に記憶する工程と、一方の光学読取処理手段で自動読み取りが不能となった書類を、他方の光学読取処理手段で読み取った他方の記載データを得る工程と、この他方の記載データを、記憶している一方の記載データに連続して記憶する工程とを有する。
【００１３】
この発明の複数枚書類の継続的な読み取り方法では、例えば、離間した場所の装置（この場合の装置は低速（一枚ずつの意味）読み取りのスキャナ）に移動し、かつ、その手間を要する手作業の読み取り作業がなくなって、多数の書類を集中的に読み取る場合に、その読み取り不能発生時、例えば、ＡＤＦ送り出し不能の薄い紙の書類、バーコード汚れ、また、ジャム発生などによる折れ曲が発生した場合に、複数枚の書類の順序が異なることなく、記載情報を正確に読み取ることが出来るようになる。すなわち、一連の書類の順序性（複数枚からなる一つの書類での頁が連続すること）が保たれて、順序付けるための入力操作が不要になる。結果的に、書類の連続読み取り作業の効率が改善される。
【００１４】
上記目的を達成する本発明の複数枚書類の継続的な読み取り方法は、一方の光学読取処理手段で連続的かつ自動的な読み取りが不能となった書類を他方の光学読取処理手段で読み取るものであり、一方の光学読取処理手段が複数枚の書類それぞれの記載情報を連続的かつ自動的に読み取った一方の記載データを得る工程と、一方の記載データを連続的に保持する工程と、一方の光学読取処理手段で自動読み取りが不能となった書類の順番を特定する情報を他方の光学読取処理手段に転送する工程と、一方の光学読取処理手段で自動読み取りが不能となった書類を他方の光学読取処理手段が読み取った他方の記載データに、書類の順番を特定する情報を付与する工程と、他方の光学読取処理手段が読み取った他方の記載データを記憶している一方の記載データに、書類の順番を特定する情報を連続させて記憶する工程とを有する。
【００１５】
この発明の複数枚書類の継続的な読み取り方法では、多数の書類を集中的に読み取る場合の読み取り不能発生時に、その読み取り継続作業が容易、すなわち、継続したファイル作成、また、読み取り不能発生の頁や何枚目の表示が出来るようになって、結果的に書類の連続読み取り作業の効率を改善できる。
【００１６】
上記目的を達成する本発明の書類集中読取システムは、複数枚の書類の記載情報を連続的かつ自動的に読み取った一方の記載データを得る一方の光学読取処理手段と、一方の光学読取処理手段で得られた一方の記載データを連続的に記憶する記憶手段と、一方の光学読取処理手段で自動的な読み取りが不能となった書類を読み取った他方の記載データを記憶手段に記憶している一方の記載データに連続して記憶させる他方の光学読取処理手段とを備える。
【００１７】
また、複数枚の書類の記載情報を連続的かつ自動的に読み取った一方の記載データを得るとともに、自動読み取りが不能となった書類の順番を特定する情報を転送する一方の光学読取処理手段と、一方の光学読取処理手段で読み取った一方の記載データを連続的に記憶する記憶手段と、一方の光学読取処理手段で自動的な読み取りが不能となった書類を読み取った他方の記載データに、書類の順番を特定する情報を付与して記憶手段に記憶している一方の記載データに連続して記憶させる他方の光学読取処理手段とを備える。
【００１８】
さらに、複数枚の書類の記載情報を連続的かつ自動的に読み取った一方の記載データを得る一方の光学読取処理手段と、一方の光学読取処理手段からの一方の記載データから文字データを生成する光学式文字読取手段と、光学式文字読取手段で生成した文字データを予め定めた文字データに補正して書類の順番を特定する情報を付与し、かつ、記憶せるための照合・補正処理手段と、照合・補正処理手段からの一方の記載データを連続的に記憶する記憶手段と、一方の光学読取処理手段で自動的な読み取りが不能となった書類を読み取った他方の記載データを記憶手段に記憶している一方の記載データに連続して記憶させる他方の光学読取処理手段とを備える。
【００１９】
さらに、複数枚の書類の記載情報を連続的かつ自動的に読み取った一方の記載データを得るとともに、自動読み取りが不能となった書類の順番を特定する情報を転送する一方の光学読取処理手段と、一方の光学読取処理手段からの一方の記載データから文字データを生成する光学式文字読取手段と、光学式文字読取手段で生成した文字データを予め定めた文字データに補正して書類の順番を特定する情報を付与し、かつ記憶せるための照合・補正処理手段と、照合・補正処理手段からの一方の記載データを連続的に記憶する記憶手段と、一方の光学読取処理手段で自動的な読み取りが不能となった書類を読み取った他方の記載データに、書類の順番を特定する情報を付与して記憶手段に記憶している一方の記載データに連続して記憶させる他方の光学読取処理手段とを備える。
【００２０】
上記書類集中読取システムにおいて、一方の光学読取処理手段が、自動読み取り不能となった際に他方の光学読取処理手段に書類の順番を特定する情報に連続した読み取りの連携を通知する制御を実行し、かつ、他方の光学読取処理手段が、自動読み取りが不能の書類の読み取り終了の連携終了及び次の書類の順番を特定する情報に連続した読み取り再開のための情報を一方の光学読取処理手段に通知するための連携制御手段をさらに備える。
【００２１】
この発明の書類集中読取システムでは、上記した複数枚書類の継続的な読み取り方法の発明と同様の作用効果が得られる。
【００２２】
上記目的を達成する本発明のプログラムは、複数枚の書類の記載情報を連続的かつ自動的に読み取った一方の記載データを得るステップと、一方の記載データを連続的に記憶するステップと、自動的な読み取りが不能となった書類を読み取った他方の記載データを、記憶している一方の記載データに連続して記憶させるステップとの制御をコンピュータに実行させるものである。
【００２３】
さらに、複数枚の書類の記載情報を連続的かつ自動的に読み取った一方の記載データを得るとともに、自動読み取りが不能となった書類の順番を特定する情報を転送するステップと、一方の記載データを連続的に記憶するステップと、自動的な読み取りが不能となった書類を読み取った他方の記載データに書類の順番を特定する情報を付与して、記憶している一方の記載データに連続して記憶させるステップとの制御をコンピュータに実行させるものである。
【００２４】
また、複数枚の書類の記載情報を連続的かつ自動的に読み取った一方の記載データを得るステップと、一方の記載データから文字データを生成するステップと、文字データを予め定めた文字データに補正して書類の順番を特定する情報を付与し、かつ、記憶せるステップと、この一方の記載データを連続的に記憶するステップと、自動的な読み取りが不能となった書類を読み取った他方の記載データを、記憶している一方の記載データに連続して記憶させるステップとの制御をコンピュータに実行させるものである。
【００２５】
さらに、複数枚の書類の記載情報を連続的かつ自動的に読み取った一方の記載データを得るとともに、自動読み取りが不能となった書類の順番を特定する情報を転送するステップと、一方の記載データから文字データを生成するステップと、この生成した文字データを予め定めた文字データに補正して書類の順番を特定する情報を付与し、かつ記憶せるためのステップと、この一方の記載データを連続的に記憶するステップと、自動的な読み取りが不能となった書類を読み取った他方の記載データに書類の順番を特定する情報を付与して、記憶している一方の記載データに連続して記憶させるステップとの制御をコンピュータに実行させるものである。
【００２６】
この発明のプログラムでは、この発明を情報記録媒体、例えば、パッケージソフトウェアとして提供可能になり、この発明の処理が、ＭＰＵなどを装備した装置（例えば、小型汎用コンピュータ）で実行できるようになって、その汎用性が向上する。
【００２７】
以下は、上記した複数枚書類の継続的な読み取り方法の技術思想における好適な態様である。
【００２８】
上記複数枚書類の継続的な読み取り方法において、他方の記載データが画像データであり、この画像データから文字データを生成する工程と、文字データを予め定めた文字データに補正して書類の順番を特定する情報を付与し、かつ記憶する工程とをさらに有している。
【００２９】
上記複数枚書類の継続的な読み取り方法において、一方の光学読取処理手段は、自動読み取りが不能となった際に、他方の光学読取処理手段に対して、書類の順番を特定する情報に連続した読み取り連携を通知する工程を有している。
【００３０】
また、上記複数枚書類の継続的な読み取り方法において、書類の順番を特定する情報が、読み取った書類の枚数の数値情報、又は読み取った「頁」の画像データから変換した「頁の数値」の文字データである。
【００３１】
さらに、上記複数枚書類の継続的な読み取り方法において、書類の順番を特定する情報を、外部に画面表示又は合成音声表示する工程をさらに有している。
【００３２】
以下は上記した書類集中読取システムの技術思想における好適な態様である。上記の書類集中読取システムにおいて、一方の光学読取処理手段が、書類を連続的に自動的に読み取るスキャナ及び制御装置から構成され、他方の光学読取処理手段が、自動的な読み取りが不能となった書類を一枚ずつ光学的に読み取るスキャナ及び制御装置から構成される。
【００３３】
また、上記書類集中読取システムにおいて、一方の光学読取処理手段、記憶手段及び他方の光学読取処理手段が、有線又は無線によるリアネットワークを含む構成で接続される。
【００３４】
また、上記書類集中読取システムにおいて、光学式文字読取手段及び照合・補正処理手段が、一方の光学読取処理手段、記憶手段及び他方の光学読取処理手段とともに、有線又は無線によるローカルエリアネットワークを含む構成で接続される。
【００３５】
さらに、上記連携制御手段が、一方の光学読取処理手段、記憶手段及び他方の光学読取処理手段とともに、有線又は無線によるローカルエリアネットワークを含む構成で接続される。
【００３６】
【発明の実施の形態】
以下、図を参照して、この発明の実施の形態について説明するが、構成および配置関係についてはこの発明が理解できる程度に概略的に示したものに過ぎない。また、以下、この発明の好適な構成例につき説明するが、各構成の動作条件などは、単なる好適例にすぎない。したがって、この発明は以下の実施の形態に限定されず、特許請求の範囲を含む本発明の記載に基づく様々な形態に適用可能である。
【００３７】
（第１実施形態の構成及び各部の動作）
図１は第１実施形態の書類集中読取システムの構成を示す外観図である。
図１において、この第１実施形態の書類集中読取システムは、例えば、生命保険会社の集中センタ（事務集中システム）、銀行／信用金庫の集中センタ（為替集中処理システム）などである。
【００３８】
この書類集中読取システムは、ＬＡＮ構成の集中センタ装置２０と、このＬＡＮ及び図示しない他のＬＡＮの上位装置として、例えば、データ収集、ＬＡＮ制御管理（例えば、ＲＰＣ）を実行するホスト装置３０とで概略構成されている。
【００３９】
集中センタ装置２０は、高速読取スキャナ２１と、スキャナ制御装置２２と、ＯＣＲ認識サーバ２３と、照合・補正処理装置２４と、プリンタ２５と、ファイルサーバ２６と、通信ゲートウェイ（ＧＷ）２７と、低速読取スキャナ２８と、スキャナ制御装置２９とから構成され、これらがデータ、アドレス、制御の情報転送を行うＬＡＮ伝送路で接続されている。
【００４０】
なお、この構成のＬＡＮでは、他のデータ処理端末（クライアント）、ＬＡＮサーバなどの図示を省略した。
【００４１】
次に、これらの各部の動作について説明する。
【００４２】
高速読取スキャナ２１は、ＡＤＦによる高速自動送り出しよる書類の記載面情報を光学的に読み取る。
【００４３】
スキャナ制御装置２２は、高速読取スキャナ２１の読み取り開始や停止、読み取り精度（例えば、階調レベル）を設定し、また、高速読取スキャナ２１からの画像データ（特許請求の範囲を含む本発明の記載データに対応する。適宜、記載データと表記する）をＬＡＮ伝送路に送出する。
【００４４】
ＯＣＲ認識サーバ２３は、スキャナ制御装置２２（高速読取スキャナ２１）らの記載データである、バーコード認識及び、その判定を処理し、さらに、書類（例えば、請求書）ごとに、手書き記入数字やマーク記入部の読み取りを行い、その変換した文字データなどを出力する。
【００４５】
照合・補正処理装置２４は、ＯＣＲ認識サーバ２３からの文字データなどに対する補正（訂正）や、照合（例えば、年月日）が作業者によって行われる。
【００４６】
プリンタ２５は、必要に応じて読み情報や各種のデバッグデータをハードコピーとして出力する。
【００４７】
ファイルサーバ２６は、照合・補正処理装置２４からの各書類の文字データをファイリングデータとして記憶する。
【００４８】
通信ゲートウェイ２７は、　ホスト装置３０との通信インターフェース処理（例えば、通信プロトコル実行）を行う。
【００４９】
低速読取スキャナ２８は、高速読取スキャナ２１で読み取り不能の書類を作業者の操作によって、一枚ずつ手作業で読み取り、この記載データを出力する。
【００５０】
スキャナ制御装置２９は、低速読取スキャナ２８の読み取り開始や停止、読み取り精度（例えば、階調レベル）を設定し、また、低速読取スキャナ２８からの記載データをＬＡＮ伝送路に送出する。
【００５１】
ホスト装置３０は、図１に示すＬＡＮ構成の書類集中読取システムとともに、図示しない他のＬＡＮに対する上位装置として、例えば、イントラネット伝送制御を実行する。なお、ホスト装置３０は、良く知られた既知のコンピュータ構成であり、その詳細な説明は省略する。
【００５２】
図２は図１の構成における要部構成を示すブロック図である。
【００５３】
図２を参照すると、この構成は、図１中のスキャナ制御装置２２，ＯＣＲ認識サーバ２３、ファイルサーバ２６及びスキャナ制御装置２９の概略の要部構成を示しており、以降で説明する動作をプログラムで実行するＭＰＵ（Ｍｉｃｒｏｐｒｏｃｅｓｓｉｎｇ　Ｕｎｉｔ）を用いた構成例である。
【００５４】
図２において、この例は、インターフェース（Ｉ／Ｆ）回路４１と、ＭＰＵ４２と、入出力（Ｉ／Ｏ）回路４３と、表示装置４４と、入力操作装置４５と、主記憶装置（メモリ）４６と、補助記憶装置４７ａ，４７ｂと，ドライバ４８とから構成され、これらが内部バスラインに接続されている。
【００５５】
次に、これらの各部の動作について説明する。
【００５６】
Ｉ／Ｆ回路４１は、ＬＡＮとのデータ転送のインターフェース接続を処理する。また、処理データをＭＰＵ４２が取り込み可能なデータに処理する。
【００５７】
ＭＰＵ４２は、演算処理を行うＣＰＵと、ワーキング用のＲＡＭ及びこの第１実施形態の処理を実行するためのプログラム（特許請求の範囲を含む本発明のプログラムに対応する）を記憶したＲＯＭから構成されている。
【００５８】
入出力（Ｉ／Ｏ）回路４３は、表示装置４４及び入力操作装置４５とのデータ入出力を行う。表示装置４４は、各種の処理データを表示し、例えば、ＣＲＴモニタで実現される。入力操作装置４５は、各種の情報入力を行うものであり、例えば、キーボードや座標入力装置（ポインティングデバイス）で実現される。
【００５９】
メモリ４６は、ＭＰＵ４２の処理データなどを記憶する。補助記憶装置４７ａ，４７ｂはＭＰＵ４２の処理データなどを保存する。ドライバ４８は、ＣＤ―ＲＯＭなどの情報記録媒体からの記憶情報を取り込む。
【００６０】
（第１実施形態の全体動作）
図３は第１実施形態の動作を説明するための図である。
【００６１】
なお、図１及び図３を参照した次の説明において、図１中のスキャナ制御装置２２，ＯＣＲ認識サーバ２３、ファイルサーバ２６及びスキャナ制御装置２９は、図２のＭＰＵを採用した構成によって、その動作制御を行っている。
【００６２】
図１及び図３において、この書類集中読取システムは、事務処理を集中して処理する集中センタに設けられている。この集中センタでは、依頼主から届けられた書類（例えば、請求書）が、開封、仕分け、会社使用欄への記入などの受付作業が行われる。この受付作業の終了後に、書類の束が高速読取スキャナ２１にセットされ、ＡＤＦ送り出しによって、その記載面情報が順次、高速で読み取られる。
【００６３】
この場合、ファイルサーバ２６は、ホスト装置２０の通信ゲートウェエイ２７を通じた制御、例えば、ＬＡＮサーバとしてデータ、アドレス、制御のデータ転送（例えば、プロシージャによる各装置での制御、ＲＰＣ（Ｒｅｍｏｔｅ　Ｐｒｏｃｅｄｕｒｅ　Ｃａｌｌ）の制御を実行する。
【００６４】
この高速での読み取りは、高速読取スキャナ２１がスキャナ制御装置２２の制御で読み取る。この制御では、高速読取スキャナ２１の読み取り開始や停止、読み取り精度（例えば、階調レベル）を設定し、また、高速読取スキャナ２１からの記載データをＬＡＮ伝送路に送出する。
【００６５】
また、この制御では、大量の書類をＡＤＦ送り出しでスキャンニングして読み取る。このスキャンニングでは、例えば、光学系及び固体光電変換素子（ＣＣＤ）などで光学的に読み取った書類の記載情報を主走査（Ｘ方向）及び副走査（Ｙ方向）した２値の画像データを出力し、この読み取りの画像データがＬＡＮ伝送路を通じてＯＣＲ認識サーバ２３に転送される。
【００６６】
このＯＣＲ認識サーバ２３では、認識プログラムによってスキャナ制御装置２２（高速読取スキャナ２１）からの記載データを解析した、バーコード認識及び、その判定を処理し、さらに、書類（例えば、請求書）ごとに、手書き記入数字やマーク記入部の読み取りを行い、その変換した文字データなどを照合・補正処理装置２４に出力する。
【００６７】
照合・補正処理装置２４では、作業者によって書類の読み取り内容が正しいか否かを判断し、その補正・照合が施される。
【００６８】
これらの書類単位のデータがファイルサーバ２６でファイリングデータとして記憶され、例えば、ホスト装置３０に転送されて、請求管理データとして利用され、請求に対する入金確認処理に使用される。
【００６９】
このようにして、１台の高速読取スキャナ２１で、大量の書類の読み取りが行われるが、高速読取スキャナ２１において読み取り不良が発生した場合、読み取り作業が中断する。この高速読取スキャナ２１での読み取り不良としては、次の（１）（２）（３）がある。
（１）複数枚の一式の書類中に薄い紙が混ざっており、この薄い紙のＡＤＦでの送り出しが困難、
（２）一部の書類（請求書など）に、書類を切り分ける判定（認識）のためのバーコード汚れがあり、そのパターン認識が不可能、
（３）一部の書類に、高速読取スキャナ２１での読み取り中のジャム発生などで折れ曲がりが生じた場合、
このため低速読取スキャナ２８及びスキャナ制御装置２９を用いている。この高速読取スキャナ２１で自動読み取りが困難で、その読み取り中止の書類（上記（１）（２）（３）参照）を、低速読取スキャナ２８において手作業かつ一枚ずつ読み取る。この読み取ったデータをスキャナ制御装置２９の作業者による操作でＯＣＲ認識サーバ２３に転送される。
【００７０】
ＯＣＲ認識サーバ２３では、認識プログラムによって、スキャナ制御装置２９（及び低速読取スキャナ２８）からの記載データを解析した、バーコード認識及び、その判定を処理し、さらに、書類（例えば、請求書）ごとに、手書き記入数字やマーク記入部の読み取りを行い、その変換した文字データなどを照合・補正処理装置２４に出力する。照合・補正処理装置２４では、作業者によって書類の読み取り内容が正しいか否かを照合し、その補正が施される。
【００７１】
これらの書類単位のデータがファイルサーバ２６で記憶される。この記憶では、高速読取スキャナ２１で自動読み取りが困難で、その読み取りを中断した一連の書類の記載データ（ファイル）に連続するように編集して記憶する。さらに、必要に応じて読み取ったデータや各種のデバッグデータがプリンタ２５からハードコピーとして出力される。
【００７２】
ファイルサーバ２６に記憶されたデータが、例えば、ホスト装置３０に転送されて、請求管理データとして利用される。例えば、請求に対する入金確認処理に使用される。
【００７３】
このようにして、高速読取スキャナ２１での読み取りを中断した一連の書類が、低速読取スキャナ２８で継続して読み取られ、そのデータ（ファイル）が連続（継続）して格納（記憶）される。
【００７４】
（第１実施形態の利点）
上記したように、この第１実施形態では、高速読取スキャナ２１で多数の書類を集中的に読み取る際に、その読み取り不能発生時に低速読取スキャナ２８で継続して複数枚の書類の順序が異なることなく、記載情報を正確に読み取ることが出来る。このデータ（ファイル）がファイルサーバ２６に、複数枚の一連の書類の記載データとして連続して記憶される。すなわち、一連の書類の順序性（複数枚からなる一つの書類での頁が連続すること）が保たれて、順序付けるための入力操作が不要になる。
【００７５】
この場合、高速読取スキャナ２１と低速読取スキャナ２８がＬＡＮで接続され、かつ、比較的近くに配置されており、この低速読取スキャナ２８で、中断後の読み取りを継続しているため、従来例をもって説明したように、離間した場所に作業者が移動して読み取りを継続し、そのデータをファイルサーバ２６に手作業で格納する作業が不要になる。結果的に、書類の連続読み取り作業の効率が改善される。
【００７６】
この第１実施形態では，何枚目（頁）から再度の読み取りを行うのかが作業者において不明になってしまうことがあり、そのためのメモ書きが必要であったり、再度、いずれの頁から読み取るのかの点検作業が必要になる。また、読み取り中断の発生以前の書類を重複して読み取ってしまうことがある。以下、これらを改善した第２実施形態について説明する。
【００７７】
（第２実施形態の構成及び各部の動作）
図４は第２実施形態における書類集中読取システムの構成を示す外観図である。
【００７８】
図４において、この例の書類集中読取システムは、ＬＡＮ構成の集中センタ装置５０と、このＬＡＮ及び図示しない他のＬＡＮの上位装置として、例えば、データ収集、ＬＡＮ制御管理（例えば、ＲＰＣ：Ｒｅｍｏｔｅ　Ｐｒｏｃｅｄｕｒｅ　Ｃａｌｌ）を実行するホスト装置６０とから概略構成されている。
【００７９】
集中センタ装置５０は、高速読取スキャナ５１と、スキャナ制御装置５２と、ＯＣＲ認識サーバ５３と、照合・補正処理装置５４と、プリンタ５５と、連携制御装置５６ａと、データベース装置５６ｂと、通信ゲートウェイ５７と、スキャナ制御装置５９と、低速読取スキャナ５８とから構成され、これらがデータ、アドレス、制御のデータを転送するＬＡＮ伝送路で接続されている。
【００８０】
なお、この構成のＬＡＮでは、通信端末（クライアント）などの図示を省略した。
【００８１】
次に、これらの各部の動作について説明する。
【００８２】
高速読取スキャナ５１は、第１実施形態の高速読取スキャナ２１と同様に、ＡＤＦによる自動送り出しよる書類の記載面情報を高速かつ光学的に読み取り、その記載データを出力する。
【００８３】
スキャナ制御装置５２は、第１実施形態と同様に、高速読取スキャナ５１の読み取り開始や停止、読み取り精度（例えば、階調レベル）を設定し、また、高速読取スキャナ５１からの記載データをＬＡＮ伝送路に送出する。
【００８４】
ＯＣＲ認識サーバ５３は、第１実施形態と同様に、スキャナ制御装置５２（高速読取スキャナ５１）からの記載データであるバーコード認識及び、その判定を処理し、さらに、書類（例えば、請求書）ごとに、手書き記入数字やマーク記入部の読み取りを行って、その変換した文字データなどを出力する。
【００８５】
照合・補正処理装置５４では、第１実施形態と同様に、ＯＣＲ認識サーバ５３からの文字データなどに対する補正（訂正）や、照合（例えば、年月日）に入力操作が作業者によって行われる。
【００８６】
プリンタ５５は、第１実施形態と同様に、必要に応じて記載データや各種のデバッグデータをハードコピーとして出力する。
【００８７】
連携制御装置５６ａは、照合・補正処理装置５４からの各書類の文字データをファイリングデータとして記憶する制御を実行し、さらに、第２実施形態における、以降で詳細に説明する連携の制御を実行する。
【００８８】
データベース装置５６ｂは、第１実施形態のファイルサーバ２６と同様に照合・補正処理装置５４からの各書類ごとの文字データを記憶する。
【００８９】
通信ゲートウェイ５７は、　ホスト装置６０とのインターフェース処理（例えば、通信プロトコル実行）を行う。
【００９０】
低速読取スキャナ５８は、第１実施形態と同様に、高速読取スキャナ５１で読み取り不能となった書類を作業者の手作業で一枚ずつ読み取り、その記載データを出力する。
【００９１】
スキャナ制御装置５９は、低速読取スキャナ５８の読み取り開始や停止、読み取り精度（例えば、階調レベル）を設定し、また、低速読取スキャナ５８からの記載データをＬＡＮ伝送路に送出する。
【００９２】
ホスト装置６０は、図４に示すＬＡＮ構成の書類集中読取システムとともに、図示しない他のＬＡＮに対する上位装置として、例えば、イントラネット伝送制御を実行する。
【００９３】
この構成の、スキャナ制御装置５２，５９、連携制御装置５６ａの概略の要部構成（制御系）は、上記した図２のＭＰＵ構成と同一である。
【００９４】
（第２実施形態の全体動作）
図５は第２実施形態の動作におけるフローチャート・シーケンス図であり、図６は第２実施形態の動作における表示画面を説明するための図である。
【００９５】
図４から図５において、この書類集中読取システムは、第１実施形態と同様に、例えば、生命保険会社向けの事務集中システム、銀行／信金向けの為替集中処理システムとして構築されるものであり、事務処理を集中して処理する集中センタに設けられものである。
【００９６】
この集中センタでは、例えば、依頼主から届けられた書類（例えば、請求書）は、開封、仕分け、会社使用欄への記入などの受付作業が行われる。この受付作業の終了後に、書類の束が高速読取スキャナ５１にセットされ、ＡＤＦ送り出しによって、その記載面情報が順次、高速で読み取られる。
【００９７】
この場合、連携制御装置５６ａは、ホスト装置６０の通信ゲートウェイ５７を通じた制御、例えば、ＬＡＮサーバとしてデータ、アドレス、制御のデータ転送（例えば、プロシージャによる各装置での制御、ＲＰＣ：Ｒｅｍｏｔｅ　Ｐｒｏｃｅｄｕｒｅ　Ｃａｌｌ）の制御を実行する。
【００９８】
この高速読取スキャナ５１での高速での読み取りは、スキャナ制御装置５２の制御で実行し、この制御では、高速読取スキャナ５１の読み取り開始や停止、読み取り精度（例えば、階調レベル）を設定し、また、高速読取スキャナ５１からの記載データをＬＡＮ伝送路に送出する。
【００９９】
また、この制御では、大量の書類をＡＤＦ送りでスキャンニングして読み取る。このスキャンニングでは、例えば、光学系及び固体光電変換素子（ＣＣＤ）などで光学的に読み取った書類Ｐの記載情報を主走査（Ｘ方向）及び副走査（Ｙ方向）した２値の記載データを出力し、この読み取り記載データがＬＡＮ伝送路を通じてＯＣＲ認識サーバ５３に転送される。
【０１００】
このＯＣＲ認識サーバ５３では、ソフトウェアによってスキャナ制御装置５２（高速読取スキャナ５１）からの記載データを解析した、バーコード認識及び、その判定を処理し、さらに、書類（例えば、請求書）ごとに、手書き記入数字やマーク記入部の読み取りを行い、その変換した文字データなどを照合・補正処理装置５４に出力する。照合・補正処理装置５４では、作業者によって書類の読み取り内容が正しいか否かを判断し、その照合・補正が施される。
【０１０１】
これらの書類単位のデータがデータベース装置５６ｂでファイリングデータとして記憶される。この書類ごとの記載データには、高速読取スキャナ５１が一枚の書類を読み取るごとに、書類の読み取りの、何枚目かを示す「書類読み取りＩＤ」（特許請求の範囲を含む本発明の「書類の順番を特定する情報」に対応する）を付与し、又は、スキャナ制御装置５２の制御で書類の読み取りの、何枚目かを示す「書類読み取りＩＤ」を付与する。なお、「書類読み取りＩＤ」は、ＯＣＲ認識サーバ５３における、例えば、書類の最下部に記入された頁番号（特許請求の範囲を含む本発明の「書類の順番を特定する情報」に対応する）することも可能である。
【０１０２】
データベース装置５６ｂでのファイリングデータは、例えば、ホスト装置６０に転送されて、請求管理データとして利用される。例えば、請求に対する入金確認処理に使用される。
【０１０３】
なお、このＯＣＲ認識サーバ５３及び照合・補正処理装置５４でのＯＣＲ認識及び文字データに対する補正・照合処理は、図５中では、その図示と説明を省略している。
【０１０４】
このようにして、１台の高速読取スキャナ５１で、大量の書類の読み取りが行われるが、高速読取スキャナ５１において読み取り不良が発生した場合、読み取り作業が中断する。この高速読取スキャナ５１での読み取り不良としては、第１実施形態と同様であり、次の（１）（２）（３）である。
（１）複数枚の一式の書類中に薄い紙が混ざっており、この薄い紙のＡＤＦでの送り出しが困難、
（２）一部の書類（請求書など）に、書類を切り分ける判定（認識）のためのバーコードに汚れがあり、そのパターン認識が不可能、
（３）一部の書類に、高速読取スキャナ２１での読み取り中のジャム発生などで折れ曲がりが生じた場合、
この場合、この高速読取スキャナ５１で自動読み取りが困難で、その読み取りを中断した場合、この中断のイベントを受け取ったスキャナ制御装置５２の制御で、図５に示すように高速読取スキャナ５１が、読み取り動作を一時的に中断する。
【０１０５】
スキャナ制御装置５２は、低速読取スキャナ５８及びスキャナ制御装置５９に対する連携動作指示のための「連携動作指示コマンド」を連携制御装置５６ａに送出する。この「連携動作指示コマンド」には、上記した中断した書類の読み取りの、何枚目かを示す「書類読み取りＩＤ」（又は、頁番号）が付加されている。
【０１０６】
連携制御装置５６ａは、連携待機状態から、「連携動作指示コマンド」及び「書類読み取りＩＤ」を受け取ると連携開始に、その動作が遷移する。
【０１０７】
連携制御装置５６ａは、スキャナ制御装置５９（低速読取スキャナ５８）に「連携開始指示コマンド」を転送する。低速読取スキャナ５８は、スキャナ制御装置５９の制御で読み取り動作状態に設定される。ここで作業者が書類を低速読取スキャナ５８において手作業かつ一枚ずつ読み取る。この場合、図６に示すようにスキャナ制御装置５９の図示しない表示部で「書類読み取りＩＤ」（又は、頁番号）を画面表示して、作業者に高速読取スキャナ５１で読み取りを中断した書類の、すなわち、次に読み取りを行う書類を明示する。
【０１０８】
この高速読取スキャナ５１で読み取りを中断した書類を、低速読取スキャナ５８で作業者が一枚ずつ手作業で、その読み取りを行う。この読み取った記載データごとに、連携制御装置５６ａからの「書類読み取りＩＤ」（又は、頁番号）に「１」ずつを加算して付与る。そして、この低速読取スキャナ５８での読み取りが終了すると、この記載デーがスキャナ制御装置５９から自動的にＯＣＲ認識サーバ５３に転送される。
【０１０９】
ＯＣＲ認識サーバ５３では、フトウェア（例えば、ＯｍｎｉＰａｇｅ　Ｐｒｏ　Ｊ）によって、スキャナ制御装置５９（及び低速読取スキャナ５８）からの記載データを解析したバーコード認識及び、その判定を処理し、さらに、書類（例えば、請求書）ごとに、手書き記入数字やマーク記入部の読み取りを行い、その変換した文字データなどを照合・補正処理装置５４に出力する。
【０１１０】
照合・補正処理装置５４では、作業者によって書類の読み取り内容が正しいか否かを判断し、その補正・照合が施される。これらの書類単位の記載データが、連携制御装置５６ａの制御でデータベース装置５６ｂでファイリングデータとして記憶される。この記憶では、高速読取スキャナ５１で自動読み取りが困難で、その読み取り中断した書類の記載データに連続するように編集して記載データを記憶する。この後、連携受付待機状態となる。
【０１１１】
なお、このＯＣＲ認識サーバ５３及び照合・補正処理装置５４でのＯＣＲ認識及び文字データに対する補正・照合処理は、図５中では、その図示と説明を省略している。
【０１１２】
連携制御装置５６ａは、高速読取スキャナ５１（スキャナ制御装置５２）に低速読取スキャナ５８で読み取った書類（すなわち、高速読取スキャナ５１で読み取りを中断した書類）の「書類読み取りＩＤ」（又は、頁番号）を通知する。この「書類読み取りＩＤ」（又は、頁番号）を受け取ったスキャナ制御装置５２（高速読取スキャナ５１）は、連携開始の設定を解除（終了）し、高速読取スキャナ５１での読み取りを開始すると、次の「書類読み取りＩＤ」（又は、頁番号）から、その読み取りを再開する。
【０１１３】
なお、スキャナ制御装置５２、連携制御装置５６ａ及びスキャナ制御装置５９では、その制御で必要に応じて記載データや各種のデバッグデータがプリンタ５５でハードコピーとして出力される。
【０１１４】
データベース装置５６ｂに記憶されたデータが、例えば、ホスト装置６０に転送されて、請求管理データとして利用される。例えば、請求に対する入金確認処理に使用される。
【０１１５】
このようにして、高速読取スキャナ５１での読み取りを中断した一連の書類が、低速読取スキャナ５８で継続して読み取られ、そのデータ（ファイル）が連続して記憶される。
【０１１６】
（第２実施形態の利点）
このように、この第２実施形態では、多数の書類を集中的に読み取る場合の読み取り不能発生時に、その継続した読み取り作業が容易に出来るようになって、結果的に書類の連続読み取り作業の効率を改善できる。
【０１１７】
（第３実施形態の構成及び各部の動作）
図７は第３実施形態の構成の外観図である。
【０１１８】
図７を参照すると、この第４実施形態は、ＬＡＮによる構成を適用しない例である。高速読取スキャナ５１と、スキャナ制御装置５２Ａと、低速読取スキャナ５８と、スキャナ制御装置５９Ａとから構成され、スキャナ制御装置５２Ａとスキャナ制御装置５９Ａとが、データ、制御のデータ転送を行う通信線で接続されている。
【０１１９】
この構成では、スキャナ制御装置５２Ａとスキャナ制御装置５９Ａとが直接通信線で接続されており、簡易な構成となっている。
【０１２０】
次に、各部の動作について説明する。
【０１２１】
高速読取スキャナ５１及び低速読取スキャナ５８は、第２実施形態と同様に動作する。その詳細な説明は省略する。
【０１２２】
スキャナ制御装置５２Ａは、高速読取スキャナ５１の読み取り開始や停止、読み取り精度（例えば、階調レベル）を設定し、また、高速読取スキャナ５１からの記載データを、読み取りごとに順次、図示しない記憶装置に記憶し、また、高速読取スキャナ５１で読み取り不能時に低速読取スキャナ５８で読み取った記載データを受信する通信制御を実行する。
【０１２３】
スキャナ制御装置５９Ａは、低速読取スキャナ５８での読み取り開始や停止、読み取り精度（例えば、階調レベル）を設定し、また、低速読取スキャナ５８からの記載データを通信線を通じてスキャナ制御装置５２Ａに送信し、かつ、スキャナ制御装置５２Ａ（高速読取スキャナ５１）からの「書類読み取りＩＤ」（又は、頁番号、上記した第２実施形態参照）を受信する通信制御を実行する。
【０１２４】
（第３実施形態の全体動作）
図８は第３実施形態の全体動作におけるシーケンス図である。
【０１２５】
図７及び図８において、スキャナ制御装置５２Ａの制御で高速読取スキャナ５１が読み取った書類の記載データを、図示しない記憶装置に順次記憶する。また、この記憶では、書類一枚ずつの記載データに「書類読み取りＩＤ」（又は、頁番号、上記した第２実施形態参照）を付与する。
【０１２６】
高速読取スキャナ５１で読み取り不能が発生（第１及び第２実施形態参照）すると、スキャナ制御装置５２Ａは、この読み取り不能となった書類の「書類読み取りＩＤ」（又は、頁番号）をスキャナ制御装置５９Ａ（低速読取スキャナ５８）に送信する。スキャナ制御装置５９Ａ（低速読取スキャナ５８）は、「書類読み取りＩＤ」（又は、頁番号）を保持する。
【０１２７】
低速読取スキャナ５８では、作業者によって、読み取り不能となった書類を一枚ずつ手作業で読み取る。この記載データが、スキャナ制御装置５９Ａ（低速読取スキャナ５８）から通信線を通じてスキャナ制御装置５２Ａ（高速読取スキャナ５１）に転送される。この転送では、順次読み取った記載データごとに、その「書類読み取りＩＤ」（又は、頁番号）を付加してスキャナ制御装置５２Ａ（高速読取スキャナ５８）に送信する。
【０１２８】
スキャナ制御装置５２Ａ（高速読取スキャナ５１）では、受信した記載データ及び、その「書類読み取りＩＤ」（又は、頁番号）を受信し、読み取り不能前の記載データに、その「書類読み取りＩＤ」（又は、頁番号）が連続するように図示しない記憶装置に記憶する。
【０１２９】
なお、このスキャナ制御装置５２Ａとスキャナ制御装置５９Ａとの対向通信は、各種の全二重通信方式が適用可能である。具体的には、例えば、Ｙ―ＭＯＤＥＭ、Ｚ−ＭＯＤＥＭの伝送方式が適用できる。
【０１３０】
なお、この第３実施形態では、スキャナ制御装置５２Ａとスキャナ制御装置５９Ａとの間を通信線（有線接続）で接続しているが、このスキャナ制御装置５２Ａとスキャナ制御装置５９Ａとの間を無線接続することも可能である。具体的には、小電力の短距離無線伝送方式（例えば、周波数ホッピング通信―Ｂｌｕｅｔｏｏｔｈ）などが適用できる。このようなスキャナ制御装置５２Ａとスキャナ制御装置５９Ａとの間を無線接続することも本発明に含まれる。
【０１３１】
このようにして、高速読取スキャナ５１での読み取りを中断した一連の書類が、低速読取スキャナ５８で継続して読み取られ、その記載データが連続して記憶される。
【０１３２】
（第３実施形態の利点）
このように、この第３実施形態では、第１及び第２実施形態のＬＡＮ構成に比較して、その装置規模及び信号処理規模が簡素化される。また、スキャナ制御装置５２Ａとスキャナ制御装置５９Ａとの間を無線接続した構成では、装置の配置場所の自由度が向上する。
【０１３３】
（第４実施形態の構成及び各部の動作）
図９は第４実施形態の構成を示す外観図である。
【０１３４】
図９において、この第４実施形態の書類集中読取システムは、無線ＬＡＮとして構築されており、第１及び第２実施形態と同様に、集中センタ装置５０及びホスト装置６０と、データ無線中継を行うベースステーション（ＢＳ）８０（８０ａ，８０ｂ）から概略構成され、ホスト装置６０にＢＳ８０ａ，８０ｂの中継による無線インターフェース接続を行う送受信装置ＴＲＸが接続されている。
【０１３５】
集中センタ装置５０は、第２実施形態と同様に高速読取スキャナ５１と、スキャナ制御装置５２と、ＯＣＲ認識サーバ５３と、照合・補正処理装置５４と、プリンタ５５と、連携制御装置５６ａと、データベース装置５６ｂと、スキャナ制御装置５９と、低速読取スキャナ５８とから構成され、これらの高速読取スキャナ５１と低速読取スキャナ５８を除く全てに、ＢＳ８０ａ，８０ｂの中継による無線インターフェース接続を行う送受信装置ＴＲＸが接続されている。
【０１３６】
次に、各部の動作について説明する。
【０１３７】
ＢＳ８０ａ，８０ｂ及び送受信装置ＴＲＸ以外の各部は、第２実施形態と同様に動作する。
【０１３８】
ＢＳ８０ａ，８０ｂ及び送受信装置ＴＲＸは、無線インターフェース接続による記載データや「書類読み取りＩＤ」（又は、頁番号）などの転送を行う。
【０１３９】
（第４実施形態の全体動作）
図９において、ＢＳ８０ａ，８０ｂ及び送受信装置ＴＲＸは、無線インターフェース接続による記載データや「書類読み取りＩＤ」（又は、頁番号）などを転送する。これ以外の各部は第２実施形態と同様の動作であり、その詳細な説明は省略する。
【０１４０】
ＢＳ８０ａ，８０ｂ及び送受信装置ＴＲＸの無線インターフェースとしては、例えば、ＩＥＥＥの８０２．１１の無線ＬＡＮ標準規格である無線周波数帯域「ＤＳ―ＳＳ：ｄｉｒｅｃｔ　ｓｅｑｕｅｎｃｅ　ｓｐｒｅａｄ　ｓｐｅｃｔｒｕｍ、ＦＳ―ＳＳ：ｆｒｅｑｕｅｎｃｙ　ｈｏｐｐｉｎｇ　ｓｐｒｅａｄ　ｓｐｅｃｔｒｕｍ」及び赤外線方式が適用できる。
【０１４１】
（第４実施形態の利点）
このように、この第４実施形態では、無線ＬＡＮによる構成であるため、第１及び第２実施形態のＬＡＮ伝送路の敷設が不要になって、各装置の配置の変更が容易となり、その構成（設計）の自由度が得られる。
【０１４２】
なお、上記第１から第４実施形態では、一台の低速読取スキャナ２８，５８を用いた例をもって説明したが、これに限定されない。特に、読み取り不能の書類が多量に発生した場合は、複数の作業者が複数の低速読取スキャナを用いた読み取り作業を行うと、低速（一枚ずつ）読み取りの不効率が改善される。
【０１４３】
この場合、スキャナ制御装置２９，５９では、読み取りを開始した書類に対する連続した「書類読み取りＩＤ」（又は、頁番号）を行わずに、高速読取スキャナ２１，５１で行う。すなわち、すでに読み取っている記載データ（又は、文字データ）にスキャナ制御装置２９，５９（低速読取スキャナ２８，５８）からの記載データ（又は、文字データ）を記憶する際に、「書類読み取りＩＤ」（又は、頁番号）を連番として付与する（図５参照）。このような複数の低速読取スキャナを用いる構成も本発明に含まれる。
【０１４４】
【発明の効果】
以上の説明で明らかなように、本発明の複数枚書類の継続的な読み取り方法及びそのシステム並びにプログラムによれば，多数の書類を集中的に読み取る場合、その読み取り不能発生時に複数枚の書類の順序が異なることなく、記載情報を正確に読み取ることができ、結果的に、書類の連続読み取り作業の効率を改善できるという効果を奏する。
【０１４５】
さらに、本発明によれば、多数の書類を集中的に読み取る場合の読み取り不能発生時に、その読み取り継続作業が容易（継続したファイル作成、読み取り不能発生の複数枚の書類における、その頁や枚数目の表示）になって、結果的に書類の連続読み取り作業の効率を改善できるという効果を奏する。
【図面の簡単な説明】
【図１】第１実施形態の書類集中読取システムの構成を示す外観図である。
【図２】図１の構成における要部構成を示すブロック図である。
【図３】第１実施形態の動作を説明するための図である。
【図４】第２実施形態の書類集中読取システムの構成を示す外観図である。
【図５】第２実施形態の動作におけるフロー・シーケンス図である。
【図６】第２実施形態の動作における表示画面を説明するための図である。
【図７】第３実施形態の構成を示す外観図である。
【図８】第３実施形態の全体動作におけるシーケンス図である。
【図９】第４実施形態の構成を示す外観図である。
【図１０】従来例の事務集中処理システムの構成を示す外観構成図であり、
【図１１】従来例の構成における処理状態を説明するための図である。
【図１２】従来例の構成における書類の読み取り処理を示すフロー・シーケンス図である。
【符号の説明】
２０，５０…集中センタ装置
２１，５１…高速読取スキャナ（請求項の一方の光学読取処理手段に対応する）
２２，２９，５２，５２Ａ，５９，５９Ａ…スキャナ制御装置（請求項の第１及び他方の光学読取処理手段に対応する）
２３，５３…ＯＣＲ認識サーバ
２４，５４…照合・補正処理装置
２５，５５…プリンタ
２６…ファイルサーバ
２７，５７…通信ゲートウェイ（ＧＷ）
２８，５８…低速読取スキャナ（請求項の他方の光学読取処理手段に対応する）
３０，６０…ホスト装置
４２…ＭＰＵ
５６ａ…連携制御装置
５６ｂ…データベース装置
８０…ベースステーション
ＴＲＸ…送受信装置
【図１】
2004094519.tif 000003
【図２】
2004094519.tif 000004
【図３】
2004094519.tif 000005
【図４】
2004094519.tif 000006
【図５】
2004094519.tif 000007
【図６】
2004094519.tif 000008
【図７】
2004094519.tif 000009
【図８】
2004094519.tif 000010
【図９】
2004094519.tif 000011
【図１０】
2004094519.tif 000012
【図１１】
2004094519.tif 000013
【図１２】
2004094519.tif 000014
【手続補正書】
【提出日】平成14年9月4日(2002.9.4)
【手続補正１】
【補正対象書類名】明細書
【補正対象項目名】請求項７
【補正方法】変更
【補正の内容】
【請求項７】
請求項４又は６記載の書類集中読取システムにおいて、
前記一方の光学読取処理手段が、自動読み取り不能となった際に前記他方の光学読取処理手段に書類の順番を特定する情報に連続した読み取りの連携を通知する制御を実行し、かつ、
前記他方の光学読取処理手段が、自動読み取りが不能の書類の読み取り終了の連携終了及び次の書類の順番を特定する情報に連続した読み取り再開のための情報を前記一方の光学読取処理手段に通知するための連携制御手段を、
さらに備えることを特徴とする書類集中読取システム。
【手続補正２】
【補正対象書類名】明細書
【補正対象項目名】請求項１２
【補正方法】変更
【補正の内容】
【請求項１２】
請求項９又は１１記載のプログラムに、
前記書類がみ取り不能となった際に、書類の順番を特定する情報に連続した読み取りの連携を通知する制御を実行し、かつ、自動読み取りが不能の書類の読み取り終了の連携終了及び次の書類の順番を特定する情報に連続した読み取り再開のための情報を通知するステップ
の制御をさらにコンピュータに実行させるためのプログラム。